(57)【要約】【課題】すべての字幕を表示させ、ストーリーの概要を手早く把握せしめる映像処理装置を提供する。【解決手段】副映像復号部７により副映像の更新時刻情報を抽出し、該更新時刻情報に対応する主映像が含まれるＶＯＢＵを入力して、該更新時刻情報に対応する主映像と副映像が合成部８へ出力されるようにする。以上の動作を副映像（字幕）が更新される毎に連続して行う。【選択図】    図１
2004350167.tif 000002
【特許請求の範囲】
【請求項１】
少なくとも主映像と主映像に付随する副映像よりなるデジタル動画像の符号列を入力する第１の手段と、前記デジタル動画像の符号列から副映像の更新を検出する第２の手段と、前記第２の手段により副映像の更新が検出される毎に、副映像と該副映像が付随する主映像の静止画のデータを出力する第３の手段と、を備えることを特徴とする映像処理装置。
【請求項２】
静止画表示モードと通常再生モードを切り替える表示モード切替信号に基づき、前記第３の手段により出力中の静止画から通常再生に復帰することを特徴とする請求項１記載の映像処理装置。
【請求項３】
請求項１もしくは２のいずれかに記載の映像処理装置であって、前記第３の手段により出力される静止画を縮小した縮小画像の一覧表示画像を生成する第４の手段と、前記第３の手段により出力される静止画のデータと前記第４の手段により生成される縮小画像の一覧表示画像のデータとを切り替えて出力する第５の手段と、を備えることを特徴とする映像処理装置。
【請求項４】
前記第４の手段により出力中の縮小画像の一覧表示画像から選択された縮小画像に対応する静止画から通常再生に復帰することを特徴とする請求項３記載の映像処理装置。
【請求項５】
少なくとも主映像と主映像に付随する副映像よりなるデジタル動画像が記録されているＤＶＤを再生する映像処理装置であって、
ＤＶＤより再生したストリームデータの入力をＶＯＢＵ単位で制御する制御手段と、
ＶＯＢＵに含まれる主映像データと副映像データを分離する分離手段と、
前記分離手段から出力された副映像データを復号するとともに、副映像更新時刻情報を抽出する副映像復号手段と、
前記分離手段から出力された主映像データを復号するとともに、主映像表示時刻情報を抽出する主映像復号手段と、
前記副映像復号手段により抽出された副映像更新時刻と前記主映像復号手段により抽出される主映像表示時刻とを比較していき、一致すると、主映像と副映像の出力を指示する信号を前記副映像復号手段と前記主映像復号手段に対して出力する表示制御手段と、
前記副映像復号手段より出力される副映像と前記主映像復号手段より出力される主映像を合成した静止画を出力する合成手段と
を備え、前記分離手段は副映像データが含まれるＶＯＢＵが入力されると該副映像データを前記副映像復号手段へ出力し、前記制御手段は該副映像データから抽出された副映像更新時刻に対応する主映像データを含むＶＯＢＵを前記分離手段へ入力させ、前記分離手段は該主映像データを前記主映像復号手段へ出力し、前記表示制御手段は、該主映像データから抽出される主映像表示時刻を、先行して得た副映像更新時刻と比較していき、一致すると、主映像と副映像の出力を指示する信号を前記副映像復号手段と前記主映像復号手段に対して出力し、前記合成手段は、表示時刻が副映像更新時刻と一致する主映像を該副映像更新時刻における副映像と合成することを特徴とする映像処理装置。
【請求項６】
請求項５記載の映像処理装置であって、前記合成手段より出力された静止画を縮小する縮小手段と、前記縮小手段により生成された縮小画像を所定の位置に配置して記憶する記憶手段と、前記記憶手段より出力される前記所定の位置に配置された縮小画像の一覧表示画像と前記合成手段より出力される前記静止画とを切り替えて出力する切替手段と、を備えることを特徴とする映像処理装置。
【発明の詳細な説明】
【０００１】
【発明の属する技術分野】
本発明は、例えばＤＶＤ（Ｄｉｇｉｔａｌ  Ｖｅｒｓａｔｉｌｌｅ  Ｄｉｓｋ）等に記録された映像を再生する映像処理装置に関する。
【０００２】
【従来の技術】
近年、光ディスクに関する技術の発達により、大容量の画像データを記録することができるＤＶＤが普及してきた。ＤＶＤは、その記録能力を生かして、例えば映画用メディアとして使用されている。
【０００３】
ＤＶＤに記録されている映画を再生する際、例えば、途中で視聴を中断し、ある程度の期間をおいてからその続きを見るとき、ストーリーの展開を思い出すために、先に見た部分の概要を手早く知りたい場合がある。また、単に全体のストーリーの概要を手早く知りたい場合もある。
【０００４】
そこで、ＤＶＤに記録されている映像を再生する従来の装置は、ＤＶＤデータの最小データ管理単位であるＶＯＢＵ内において字幕データ（副映像データ）が占める割合（密度）を計算し、設定時間内で再生するＶＯＢＵを副映像データ密度順に選択し時間軸に沿って並び替えて再生することにより、映画のストーリー上重要な場面と考えられる会話量の多い場面を選択して再生するようにしていた（例えば、特許文献１参照。）。
【０００５】
しかしながら、このように会話量の多い場面を選択して再生する従来の再生方式では、会話量の多い場面の動画像のみが表示されることになるため、映画のストーリーを把握するのに重要な要素である字幕を全ては表示させることができないという問題があった。
【０００６】
【特許文献１】
特開２００１−２５１５８０号公報
【０００７】
【発明が解決しようとする課題】
本発明は、上記問題点に鑑み、少なくとも主映像と主映像に付随する副映像よりなるデジタル動画像の符号列を入力とし、この符号列から副映像（字幕）の更新を検出する毎に連続して、副映像と該副映像が付随する主映像の静止画を再生していくことにより、すべての字幕を表示させ、ストーリーの概要を手早く把握せしめる映像処理装置を提供することを目的とする。
【０００８】
【課題を解決するための手段】
本発明の請求項１記載の映像処理装置は、少なくとも主映像と主映像に付随する副映像よりなるデジタル動画像の符号列を入力する第１の手段と、前記デジタル動画像の符号列から副映像の更新を検出する第２の手段と、前記第２の手段により副映像の更新が検出される毎に、副映像と該副映像が付随する主映像の静止画のデータを出力する第３の手段と、を備えることを特徴とする。
【０００９】
本発明の請求項２記載の映像処理装置は、請求項１記載の映像処理装置であって、静止画表示モードと通常再生モードを切り替える表示モード切替信号に基づき、前記第３の手段により出力中の静止画から通常再生に復帰することを特徴とする。
【００１０】
本発明の請求項３記載の映像処理装置は、請求項１もしくは２のいずれかに記載の映像処理装置であって、前記第３の手段により出力される静止画を縮小した縮小画像の一覧表示画像を生成する第４の手段と、前記第３の手段により出力される静止画のデータと前記第４の手段により生成される縮小画像の一覧表示画像のデータとを切り替えて出力する第５の手段と、を備えることを特徴とする。
【００１１】
本発明の請求項４記載の映像処理装置は、請求項３記載の映像処理装置であって、前記第４の手段により出力中の縮小画像の一覧表示画像から選択された縮小画像に対応する静止画から通常再生に復帰することを特徴とする。
【００１２】
本発明の請求項５記載の映像処理装置は、少なくとも主映像と主映像に付随する副映像よりなるデジタル動画像が記録されているＤＶＤを再生する映像処理装置であって、ＤＶＤより再生したストリームデータの入力をＶＯＢＵ単位で制御する制御手段と、ＶＯＢＵに含まれる主映像データと副映像データを分離する分離手段と、前記分離手段から出力された副映像データを復号するとともに、副映像更新時刻情報を抽出する副映像復号手段と、前記分離手段から出力された主映像データを復号するとともに、主映像表示時刻情報を抽出する主映像復号手段と、前記副映像復号手段により抽出された副映像更新時刻と前記主映像復号手段により抽出される主映像表示時刻とを比較していき、一致すると、主映像と副映像の出力を指示する信号を前記副映像復号手段と前記主映像復号手段に対して出力する表示制御手段と、前記副映像復号手段より出力される副映像と前記主映像復号手段より出力される主映像を合成した静止画を出力する合成手段とを備え、前記分離手段は副映像データが含まれるＶＯＢＵが入力されると該副映像データを前記副映像復号手段へ出力し、前記制御手段は該副映像データから抽出された副映像更新時刻に対応する主映像データを含むＶＯＢＵを前記分離手段へ入力させ、前記分離手段は該主映像データを前記主映像復号手段へ出力し、前記表示制御手段は、該主映像データから抽出される主映像表示時刻を、先行して得た副映像更新時刻と比較していき、一致すると、主映像と副映像の出力を指示する信号を前記副映像復号手段と前記主映像復号手段に対して出力し、前記合成手段は、表示時刻が副映像更新時刻と一致する主映像を該副映像更新時刻における副映像と合成することを特徴とする。
【００１３】
本発明の請求項６記載の映像処理装置は、請求項５記載の映像処理装置であって、前記合成手段より出力された静止画を縮小する縮小手段と、前記縮小手段により生成された縮小画像を所定の位置に配置して記憶する記憶手段と、前記記憶手段より出力される前記所定の位置に配置された縮小画像の一覧表示画像と前記合成手段より出力される前記静止画とを切り替えて出力する切替手段と、を備えることを特徴とする。
【００１４】
以上のように、本発明によれば、副映像（字幕）が更新される度に連続して、副映像と該副映像が付随する主映像の静止画を再生するので、映画のストーリーを把握するのに重要な要素である字幕をすべて表示させ、ストーリーの概要を手早く把握せしめることができる。
【００１５】
また、副映像（字幕）が更新される度に連続して生成する静止画を縮小した縮小画像の一覧表示画像を再生するので、映画のストーリーを把握するのに重要な要素である字幕をすべて表示させ、ストーリーの概要を手早く把握せしめることができる。
【００１６】
【発明の実施の形態】
以下、本発明の実施の形態を図面に基づいて説明する。なお、ここで示す実施の形態はあくまでも一例であって、必ずしも以下の実施の形態に限定されるものではない。
【００１７】
（実施の形態１）
図１は、本実施の形態１に係る映像処理装置のブロック図である。図１において、１は少なくとも主映像と主映像に付随する副映像よりなるデジタル動画像を所定のフォーマットに従い符号化して得られた２値化記録データ（ＤＶＤデータ）が記録されているＤＶＤである。
【００１８】
ＤＶＤ１には所定のフォーマットに沿ったＤＶＤデータ、例えばビデオ・オブジェクト・ユニット（ＶＯＢＵ）単位で構成されるＤＶＤデータが記録されている。また、ＤＶＤ１には、ＶＯＢＵの管理データが記録されている。ＶＯＢＵ内には、ＭＰＥＧ２のフォーマットにおける複数のグループ・オブ・ピクチャーが含まれ、ＶＯＢＵ内に含まれる全主映像の再生時間は０．４秒から１．２秒となる。以下、ＤＶＤデータがＶＯＢＵ単位で構成されているものとして説明する。また、ＤＶＤには、ＶＯＢＵの管理データが記録されている。
【００１９】
また、２はＤＶＤ１に記録されているＤＶＤデータ（２値化記録データ）を読み取りＲＦ信号を生成して出力するディスク再生部、３はディスク再生部２が出力したＲＦ信号を復調した後、２値化処理して再生データを生成し、その再生データに対してエラー訂正等の処理を行ってストリームデータ（デジタル動画像の符号列）を出力する復調訂正部、４は復調訂正部３が出力するストリームデータを主映像データと字幕等の副映像データに分離するストリーム分離部、５はディスク再生部２、復調訂正部３、ストリーム分離部４を制御するシステム制御部である。
【００２０】
また、６は主映像データを復号するとともに、主映像データに含まれる主映像表示時刻情報を抽出する主映像復号部である。主映像表示時刻情報は、主映像を構成する複数枚の画像それぞれの表示時刻を示す情報である。主映像復号部６は、静止画表示モードにおいては、後述する表示制御部から出力される表示制御信号に応じて主映像の画像データを出力し、通常再生モードにおいては、後述する基準時刻生成部から出力される基準時刻と表示時刻が一致する主映像の画像データを出力する。
【００２１】
また、７は副映像データを復号するとともに、副映像データに含まれる副映像表示時刻情報を抽出し、さらにこの副映像表示時刻情報から副映像更新時刻情報を抽出する副映像復号部である。副映像表示時刻情報は、副映像（字幕）が表示される時間帯を示す情報であり、副映像更新時刻情報は副映像の表示開始時刻を示す情報である。副映像復号部７は、静止画表示モードにおいては、後述する表示制御部から出力される表示制御信号に応じて副映像の画像データを出力し、通常再生モードにおいては、後述する基準時刻生成部から出力される基準時刻と表示時刻が一致している間、副映像の画像データを出力し続ける。
【００２２】
また、８は主映像復号部６から出力された主映像の画像データと副映像復号部７から出力された副映像の画像データを合成する合成部である。
また、９は副映像復号部７から出力された副映像更新時刻と主映像復号部６から出力される主映像表示時刻とを比較していき、一致すると、主映像復号部６と副映像復号部７に対して画像データの出力を指示する表示制御信号を出力する表示制御部である。
【００２３】
また、１０は通常再生時の基準時刻情報を生成する基準時刻生成部であり、生成した基準時刻情報を主映像復号部６と副映像復号部７へ出力する。
次に、当該映像処理装置の動作について説明する。ディスク再生部２はＤＶＤ１に記録されているＤＶＤデータ（２値化記録データ）を読み取り、ＲＦ信号を生成して復調訂正部３へ入力する。復調訂正部３はＲＦ信号を復調した後、２値化処理して再生データを生成し、その再生データに対してエラー訂正等の処理を行ってストリームデータ（デジタル動画像の符号列）をストリーム分離部４へ出力する。本実施の形態１では、ディスク再生部２と復調訂正部３とシステム制御部５により、デジタル動画像の符号列を入力する第１の手段が構成される。
【００２４】
システム制御部５は、静止画表示モードと通常再生モードを切り替える表示モード切替信号により静止画表示モードに設定されると、ディスク再生部２、復調訂正部３を制御し、ストリームデータがＶＯＢＵ単位でストリーム分離部４へ入力されるようにする。また、システム制御部５は、ＶＯＢＵから分離された副映像データが副映像復号部７へ出力されるようにストリーム分離部４を制御する。副映像データが存在しない場合、ストリーム分離部４は、システム制御部５に次のＶＯＢＵの入力を要求し、システム制御部５は、ストリーム分離部４に次のＶＯＢＵが入力されるようにディスク再生部２、復調訂正部３を制御する。本実施の形態１では、ストリーム分離部４とシステム制御部５により、デジタル動画像の符号列から副映像の更新を検出する第２の手段が構成される。
【００２５】
副映像復号部７は、入力された副映像データより抽出した副映像更新時刻情報を表示制御部９とシステム制御部５に出力する。システム制御部５は、ディスク上に記録されている管理データを参照してディスク再生部２を制御し、入力された副映像更新時刻情報に対応する主映像データを含むＶＯＢＵをストリーム分離部４に入力させ、ストリーム分離部４を制御してＶＯＢＵから分離された主映像データが主映像復号部６へ出力されるようにする。なお、管理データは、該映像出力装置内の記憶領域に予め読み出しておいてもよい。
【００２６】
主映像復号部６は、この主映像データより主映像表示時刻情報を抽出し、表示制御部９に出力する。表示制御部９は、主映像復号部６が出力する主映像表示時刻を副映像更新時刻と比較していき、一致すると、表示制御信号を副映像復号部７と主映像復号部６に対して出力する。合成部８は、表示時刻が副映像更新時刻と一致する主映像の画像と該副映像更新時刻における副映像の画像を合成した静止画のデータを出力する。
【００２７】
本実施の形態１では、ディスク再生部２、復調訂正部３、ストリーム分離部４、システム制御部５、主映像復号部６、副映像復号部７、合成部８、表示制御部９により、副映像の更新が検出される毎に、副映像と該副映像が付随する主映像の静止画のデータを出力する第３の手段が構成される。
【００２８】
上記処理を繰り返すことにより、副映像の更新毎に連続して、副映像と該副映像が付随する主映像の静止画のデータを出力し続ける。
このように、本実施の形態１によれば、副映像の更新毎に連続して、副映像と該副映像が付随する主映像の静止画を表示させることができるので、映画のストーリー把握に重要な字幕をすべて表示させることができ、ストーリーの概要を手早く把握せしめることができる。
【００２９】
続いて、静止画表示モードから、通常再生モードに復帰する際の動作について説明する。システム制御部５は、表示モード切替信号により静止画表示モードから通常再生モードに設定されると、出力中の静止画における副映像更新時刻情報を基準時刻生成部１０へ入力する。また、システム制御部５は、ディスク上に記録されている管理データを参照してディスク再生部２を制御し、この副映像更新時刻情報に対応する主映像データを含むＶＯＢＵからストリームデータの入力が行われるようにするとともに、ストリーム分離部４を制御して、ストリームデータ（ＶＯＢＵ）から分離された主映像データと副映像データが主映像復号部６と副映像復号部７へそれぞれ出力されるようにする。
【００３０】
基準時刻生成部１０は、入力された副映像更新時刻情報を基準時刻情報の初期値とし、順次更新して主映像復号部６と副映像復号部７へ入力する。主映像復号部６は、入力された基準時刻と抽出した主映像表示時刻を比較していき、一致したらその表示時刻における主映像の画像データを合成部８へ出力する。副映像復号部７も同じく、入力された基準時刻と副映像表示時刻を比較していき、一致したらその副映像の画像データを合成部８へ出力する。合成部８は、入力された主映像と副映像を合成して出力する。
【００３１】
以後、順次更新される基準時刻との比較を行いながら主映像及び副映像の復号、出力を行っていく。
このように、本実施の形態１によれば、出力中の静止画から通常再生に復帰することができるので、視聴者の利便性を向上させることができる。
【００３２】
なお、本実施の形態１では、静止画表示モードから通常再生モードに復帰する際に、出力中の静止画における副映像更新時刻情報を用いたが、これに限らず、出力中の静止画における主映像表示時刻情報を用いるようにしてもよい。
【００３３】
（実施の形態２）
図２は、本実施の形態２に係る映像処理装置のブロック図である。なお、前述した実施の形態１と同じ構成を有する部材には同一の番号を付記して、説明を省略する。
【００３４】
当該映像処理装置は、合成部８から出力される静止画データがサムネイル画像生成部１１と切替部１２へ出力され、サムネイル画像生成部１１が、静止画を縮小したサムネイル画像（縮小画像）を一覧表示する画像のデータを生成して切替部１２へ出力し、切替部１２が、合成部８から出力される静止画データとサムネイル画像生成部１１から出力されるサムネイル画像の一覧表示画像データとを切り替えて出力する点が、実施の形態１と異なる。本実施の形態２では、サムネイル画像生成部１１により、静止画を縮小した縮小画像の一覧表示画像を生成する第４の手段が構成され、切替部１２により、静止画のデータと縮小画像の一覧表示画像を切り替えて出力する第５の手段が構成される。
【００３５】
次に、サムネイル画像生成部１１について説明する。図３はサムネイル画像生成部１１のブロック図である。図３において、２０は合成部８から出力される静止画データを１ライン毎に蓄積するラインメモリ部、２１はラインメモリ部２０から出力されるライン信号をフィルタリングしてサムネイル画像信号を得るフィルタ部、２２はフィルタ部２１から出力されるサムネイル画像信号を所定の位置に記憶するフレームメモリ部であり、例えば図４に示すように１フレーム内に複数のサムネイル画像が並んで表示されるように記憶する。また、２３はラインメモリ部２０、フィルタ部２１、フレームメモリ部２２に対するデータの入出力を制御する制御部である。
【００３６】
次に、このサムネイル画像生成部の動作について説明する。まず、合成部８から出力される静止画データを１ライン毎にラインメモリ部２０へ蓄積し、フィルタ部２１によりライン信号をフィルタリングすることにより、静止画を水平、垂直方向に縮小したサムネイル画像を得る。なお、フィルタリング処理としては、例えば垂直方向に１／４倍する場合には、４ラインを１／４ずつ加算して１ラインを生成するなどの処理を行う。
【００３７】
フレームメモリ部２２内には、例えば図４に示すように１フレーム内に複数のサムネイル画像が並んで表示されるようにサムネイル画像が記憶される。本実施の形態２では、ラインメモリ部２０、フィルタ部２１、制御部２３により、静止画を縮小する縮小手段が構成され、フレームメモリ部２２と制御部２３により、縮小画像（サムネイル画像）を所定の位置に配置して記憶する記憶手段が構成される。
【００３８】
このとき、システム制御部５は、各サムネイル画像毎にその副映像更新時刻情報を記憶する。
サムネイル画像の一覧を表示するときには、サムネイル画像の一覧表示画像のデータをフレームメモリ部２２より切替部１２へ出力する。切替部１２は、サムネイル画像生成部１１より入力されたサムネイル画像の一覧表示画像のデータを出力する。
【００３９】
このように、本実施の形態２によれば、副映像の更新毎に連続して生成される、副映像と該副映像が付随する主映像の静止画の縮小画像を一覧表示させることができるので、映画のストーリー把握に重要な字幕をすべて表示させることができ、ストーリーの概要を手早く把握せしめることができる。
【００４０】
出力中のサムネイル画像の一覧表示画像の中から任意の１枚が選択されると、システム制御部５によって記憶されていたその選択されたサムネイル画像における副映像更新時刻情報が基準時刻生成部１０へ入力される。また、システム制御部５は、ディスク上に記録されている管理データを参照してディスク再生部２を制御し、この副映像更新時刻情報に対応する主映像データを含むＶＯＢＵからストリームデータの入力が行われるようにするとともに、ストリーム分離部４を制御して、ストリームデータ（ＶＯＢＵ）から分離された主映像データと副映像データが主映像復号部６と副映像復号部７へそれぞれ出力されるようにする。なお、管理データは、該映像出力装置内の記憶領域に予め読み出しておいてもよい。
【００４１】
以降、実施の形態１と同様に、基準時刻生成部１０は、入力された副映像更新時刻情報を基準時刻情報の初期値とし、順次更新して主映像復号部６と副映像復号部７へ入力する。主映像復号部６は、入力された基準時刻と抽出した主映像表示時刻を比較していき、一致したらその表示時刻における主映像の画像データを合成部８へ出力する。副映像復号部７も同じく、入力された基準時刻と副映像表示時刻を比較していき、一致したらその副映像の画像データを合成部８へ出力する。合成部８は、入力された主映像と副映像を合成して切替部１２へ出力する。
【００４２】
以後、順次更新される基準時刻との比較を行いながら主映像及び副映像の復号、出力を行っていく。
このように、本実施の形態２によれば、サムネイル画像の一覧表示から通常再生に復帰することができるので、視聴者の利便性を向上させることができる。
【００４３】
なお、本実施の形態２では、サムネイル画像をフィルタリング処理によって生成したが、単にラインを間引くなど他の方法によってサムネイル画像を生成してもよい。
【００４４】
また、サムネイル画像毎にその副映像更新時刻情報を記憶するようにしたが、これに限らず、サムネイル画像毎にその主映像表示時刻情報を記憶するようにしてもよい。
【００４５】
また、実施の形態１及び２では、音声データの復号処理に関して記載していないが、音声データの復号処理の有無は、なんら本発明を制限するものではない。また、実施の形態１及び２では、副映像更新時刻情報を用いたが、これに限らず、副映像表示時刻内の任意の時刻情報を用いるようにしてもよい。
【００４６】
また、実施の形態１及び２では、ＤＶＤに記録されているデジタル動画像を再生する装置を例に説明を行ったが、デジタル動画像の符号列が入力される構成であればよく、ＤＶＤに限るものではない。
【００４７】
【発明の効果】
以上のように、本発明によれば、副映像（字幕）が更新される度に連続して、副映像と該副映像が付随する主映像の静止画を再生するので、映画のストーリーを把握するのに重要な要素である字幕をすべて表示させ、ストーリーの概要を手早く把握せしめることができる。
【００４８】
また、副映像（字幕）が更新される度に連続して生成する静止画を縮小した縮小画像の一覧表示画像を再生するので、映画のストーリーを把握するのに重要な要素である字幕をすべて表示させ、ストーリーの概要を手早く把握せしめることができる。
【図面の簡単な説明】
【図１】本発明の実施の形態１に係る映像処理装置のブロック図
【図２】本発明の実施の形態２に係る映像処理装置のブロック図
【図３】本発明の実施の形態２に係る映像処理装置におけるサムネイル画像生成部のブロック図
【図４】本発明の実施の形態２に係る映像処理装置におけるサムネイル画像の一覧表示の一例図
【符号の説明】
１  ＤＶＤ
２  ディスク再生部
３  復調訂正部
４  ストリーム分離部
５  システム制御部
６  主映像復号部
７  副映像復号部
８  合成部
９  表示制御部
１０  基準時刻生成部
１１  サムネイル画像生成部
１２  切替部
２０  ラインメモリ部
２１  フィルタ部
２２  フレームメモリ部
２３  制御部
【図１】
2004350167.tif 000003
【図２】
2004350167.tif 000004
【図３】
2004350167.tif 000005
【図４】
2004350167.tif 000006